(57)【特許請求の範囲】
【請求項１】
放電空間（１０６）を取り囲み、２つの封止端部（１０１，１０２）を有している透光性の放電容器（１０）と、
前記２つの封止端部（１０１，１０２）から前記放電空間（１０６）内へ延在している２つの電極（１１，１２）と、
ガス放電を形成するために前記放電空間（１０６）内に充填されている充填物と、
前記２つの電極（１１，１２）へのエネルギー供給のために前記封止端部（１０１，１０２）から引き出された電流リード導体（１３，１４）とを備えた高圧放電ランプであって、
前記放電容器（１０）の表面に、点弧支援として用いられる導電層（１０７，１０７′）が配設されている、高圧放電ランプにおいて、
前記導電層（１０７，１０７′；２０７，２０７′；３０７，３０７′；４０７，４０７′）が、少なくとも１つの第１の層部分（１０７；２０７；３０７；４０７）と第２の層部分（１０７′；２０７′；３０７′；４０７′）とからなっており、
前記第１の層部分（１０７；２０７；３０７；４０７）は、前記放電容器（１０）の第１の封止端部（１０１）に配設され、前記放電容器（１０）の放電空間（１０６）を取り囲んでいる領域の表面まで延在しており、
前記第２の層部分（１０７′；２０７′；３０７′；４０７′）は、前記放電容器（１０）の第２の封止端部（１０２）に配設され、前記放電容器（１０）の放電空間（１０６）を取り囲んでいる領域の表面まで延在しており、
それによって、前記第１及び第２の層部分（１０７，１０７′；２０７，２０７′；３０７，３０７′；４０７，４０７′）のうち、前記放電容器（１０）の放電空間（１０６）を取り囲んでいる領域の表面に配設されている部分（１０７ａ，１０７′ａ；２０７ａ，２０７′ａ；３０７ａ，３０７′ａ；４０７ａ，４０７′ａ）が、相互に間隔を空けて配設されて、前記層部分（１０７，１０７′；２０７，２０７′；３０７，３０７′；４０７，４０７′）が電気的に分離されており、
前記第１の層部分（１０７；２０７；３０７；４０７）は、前記放電容器（１０）の放電空間（１０６）を取り囲む領域の表面において、前記第２の封止端部（１０２）の方向で、少なくとも当該第２の封止端部（１０２）から前記放電空間（１０６）内へ突出している第２の電極（１２）の高さまで延在しており、
前記第２の層部分（１０７′；２０７′；３０７′；４０７′）は、前記放電容器（１０）の放電空間（１０６）を取り囲む領域の表面において、前記第１の封止端部（１０１）の方向で、少なくとも当該第１の封止端部（１０１）から前記放電空間（１０６）内へ突出している第１の電極（１１）の高さまで延在していることを特徴とする、高圧放電ランプ。
【請求項２】
前記第１の層部分（１０７；２０７；３０７；４０７）と第２の層部分（１０７′；２０７′；３０７′；４０７′）はそれぞれ、前記放電容器（１０）の放電空間（１０６）を取り囲む領域の長手方向の広がり全体に亘って延在している、請求項１記載の高圧放電ランプ。
【請求項３】
前記第１及び第２の層部分（１０７，１０７′；２０７，２０７′；３０７，３０７′；４０７，４０７′）のうちの、前記放電容器（１０）の放電空間（１０６）を取り囲んでいる領域に延在している部分（１０７ａ，１０７′ａ；２０７ａ，２０７′ａ；３０７ａ，３０７′ａ；４０７ａ，４０７′ａ）は、それぞれ帯状に形成されている、請求項１または２記載の高圧放電ランプ。
【請求項４】
前記帯状に形成されている層部分（３０７ａ，３０７′ａ；４０７ａ，４０７′ａ）は、前記放電容器（１０）の外側を延在し当該高圧放電ランプのランプ口金（１５）まで帰還される帰還電流リード導体（１７）に対向するように位置している、前記放電容器（１０）の表面領域に配設されている、請求項３記載の高圧放電ランプ。
【請求項５】
前記導電層（１０７′；２０７′；３０７′；４０７′）は透光性に構成されている、請求項１から４いずれか１項記載の高圧放電ランプ。
【請求項６】
前記高圧放電ランプは、前記放電容器（１０）の少なくとも前記導電層（１０７′：２０７′；３０７′；４０７′）を備えた領域を取り囲んでいる外管（１６）を有している、請求項１から５いずれか１項記載の高圧放電ランプ。
【発明の詳細な説明】
【技術分野】
【０００１】
本発明は、請求項１の上位概念に記載の高圧放電ランプに関している。
【背景技術】
【０００２】
この種の高圧放電ランプは、例えばＥＰ  １  ６３２  ９８５  Ａ１明細書に開示がある。この明細書には、車両用ヘッドランプのための高圧放電ランプが記載されており、ここでの高圧放電ランプは、透光性の放電容器を備えており、該透光性の放電容器は、放電空間を取り囲み、２つの封止端部を有している。さらに前記高圧放電ランプは、前記封止端部から放電空間内へ延在する２つの電極と、放電空間内に充填されガス放電を形成するための充填物と、電極へのエネルギー供給のための前記封止端部から引き出された給電線とを備えている。前記放電容器の表面には、点弧支援として用いられる導電層が設けられている。この点弧支援層は一体的に形成されている。前記点弧支援層は放電空間の長手方向の広がり全体に亘って延在しており、対称な実施形態によれば、放電容器の両側の封止端部に亘って延在し、非対称な実施形態によれば、放電容器の２つの封止端部のうちの一方に亘ってのみ延在している。
【０００３】
この一体的な点弧支援層は次のような欠点を有している。すなわち、前記点弧支援層は、高圧放電ランプの外管における付加的な点弧支援として用いられる補助放電との組合わせが不可能なことである。なぜならこの点弧支援層は、そのような補助放電に対しては放電容器に沿って電気的な短絡を引き起こしてしまうからである。また対称的な実施形態の場合では、そのような一体的な点弧支援層は、さらに次のような欠点を伴ってしまう。すなわち２つの電極に対するそれらの容量結合に基づいて電界が当該点弧支援層と２つの電極との間で対称的に分散し、それによって各電極は半分の電界しか得られなくなってしまう。それに対して従来技術による一体的な点弧支援層の非対称な実施形態の場合では、さらに次のような欠点も伴う。すなわちその有効性の度合が、点弧電圧パルスの半波極性に依存してしまい、２つの電極のうちのどちらが点弧電圧パルスのいわゆる"ホット"な電位を有しているか、すなわちアース電位よりも高い電位を印加されているかに左右されてしまうという欠点である。
【０００４】
発明の開示
それ故本発明の課題は、冒頭に述べたような形式の高圧放電ランプにおいて、前述したような従来技術による欠点を有していない、より改善された点弧特性を実現することにある。
【０００５】
この課題は、請求項１記載の特徴を備えた本発明による高圧放電ランプによって解決される。この本発明の殊に有利な実施形態は従属請求項に記載されている。
【０００６】
本発明による高圧放電ランプは、放電空間を取り囲み、２つの封止端部を有する透光性の放電容器と、前記封止端部から放電空間内へ延在している２つの電極と、ガス放電を形成するために放電空間内に充填された充填物と、電極へのエネルギー供給のために前記封止端部から引き出された電流リード導体とを具備している。また前記放電容器の表面には、点弧支援として用いられる導電層が配設される。本発明によれば、前記導電層は、少なくとも第１の層部分と、第２の層部分とからなっており、前記第１の層部分は、前記放電容器の第１の封止端部に配設され、前記放電容器の放電空間を取り囲んでいる領域の表面まで延在し、前記第２の層部分は、前記放電容器の第２の封止端部に配設され、前記放電容器の放電空間を取り囲んでいる領域の表面まで延在しており、それによって、前記第１の層部分と第２の層部分のうちの、前記放電容器の放電空間を取り囲んでいる領域の表面に配設されている部分が、相互に間隔を空けて配設され、前記層部分がガルバニック分離されている。
【０００７】
相互にガルバニック分離されて配設される導電層の２つの層部分は、放電容器の各封止端部から引き出され当該層部分が配設される電流リード導体に対して、それぞれ１つの良好な容量結合を有するようになる。このことは、第１の層部分が、放電容器の第１の封止端部から引き出される電流リード導体に対して１つの良好な容量結合を有し、さらに第２の層部分は、放電容器の第２の封止端部から引き出される電流リード導体に対して、１つの良好な容量結合を有することを意味している。それにより、２つの電極に点弧電圧パルスを印加し、当該点弧電圧に半波極性を持たせる、発明による点弧支援層の有効性は、些細なものとなる。それらの２つの層部分のガルバニック分離された配置構成に基づいて、点弧支援として用いられる導電層は、放電容器と外管の間に介在する空間内で当該放電容器の直ぐ上で補助放電を形成することにも適している。この補助放電は２つの層部分の間で形成され、２つの電極の間のガス放電の点弧に必要な点弧電圧を低減させ得る。
【０００８】
有利には、点弧支援として用いられる導電層の２つの層部分が高圧放電ランプの給電部と電極からガルバニック分離されて配設される。それにより、高圧放電ランプの付加的な電気的接続端子が不要となる。
【０００９】
有利には、第１の層部分は、放電容器の放電空間を取り囲む領域の表面において、第２の封止端部の方向で少なくとも当該第２の封止端部から放電空間内へ突出している第２の電極の高さまで延在しており、同じように、第２の層部分は、放電容器の放電空間を取り囲む領域の表面において、第１の封止端部の方向で少なくとも当該第１の封止端部から放電空間内へ突出している第１の電極の高さまで延在している。前記２つの層部分の構成によれば、第１の層部分と、放電容器の第１の封止端部から引き出された電流リード導体との間の容量結合が、第１の層部分と、放電容器の第２の封止端部から引き出され放電空間方向に突出する第２の電極との間の容量結合よりも大きいことが保証される。
【００１０】
同様に、前記第２の層部分と、放電容器の第１の封止端部から引き出された電流リード導体との間の容量結合が、第２の層部分と、放電容器の第１の封止端部から引き出され放電空間方向に突出する第１の電極との間の容量結合よりも大きいことも保証される。その結果、高圧放電ランプの点弧フェーズの期間中、第１の層部分と、放電容器の第２の封止端部から放電空間方向に突出する第２の電極との間、若しくは、第２の層部分と、放電容器の第１の封止端部から放電空間方向に突出する第１の電極との間で、高い電界強度を有する電界の構築が可能となる。この電界強度は、（点弧電圧パルスの極性と、当該点弧電圧パルスが２つの電極のうちのいずれに印加されるのかに応じて）、第１の層部分と第２の電極との間で誘電体バリア放電を生成するのに十分であり、また第２の層部分と第１の電極との間で誘電体バリア放電を生成するのにも十分である。この誘電体バリア放電によって、２つの電極間のガス放電の点弧に必要な点弧電圧が引き下げられ、それに伴って本発明による高圧放電ランプの始動性が改善される。
【００１１】
本発明の別の有利な実施形態によれば、第１の層部分と第２の層部分とがそれぞれ、放電容器の放電空間を取り囲む領域の長手方向の広がり全体に亘って延在している。この長手方向の広がりと称する概念は、ここでは２つの電極の放電側端部同士の仮想接続区間に平行して存在する広がり空間ないし拡張空間を意味する。但し前記第１の層部分は有利には、容量性の短絡を回避するために、放電容器の第２の封止端部までは延在しない。同じような理由から前記第２の層部分についても、放電容器の第１の封止端部までは延在しない。
【００１２】
本発明による高圧放電ランプは、有利には外管を有しており、この外管は、放電容器の少なくとも導電層を備えている領域を取り囲んでおり、これは、当該導電層をダメージから守るためと、高圧放電ランプの点弧フェーズ中に、前記放電容器と外管との間の介在空間において、前記導電層の第１の層部分と第２の層部分との間に補助放電を形成せしめるためである。この目的のために、さらに付加的に、前記介在空間内の空気圧を通常圧力より下げてもよいし、あるいは、例えば窒素若しくは希ガスを含むガス充填物を、５ｋＰａ〜１５ｋＰａの範囲の冷間時充填圧力（すなわち２２℃のもとで測定される充填圧力）で介在空間に充填してもよい。
【００１３】
有利には本発明による高圧放電ランプの導電層は、当該導電層によって引き起こされる光の吸収をできるだけ僅かに抑えるために、透光性に構成され、特に有利には透明に構成されている。そのためこの高圧放電ランプは車両用ヘッドランプの光源として十分利用可能である。
【００１４】
本発明のさらに別の実施例によれば、前記放電容器の放電空間を取り囲む領域に延在する、第１の層部分と第２の層部分の延在部分がそれぞれ帯状に構成されている。それにより、点弧支援として用いられる導電性の層によって吸収される光はほぼなくなることが保証される。その他に、この帯状に形成される層部分は、ランプ口金にフィードバックされた帰還リード導体に対向するように存在し当該ヘッドランプにおける投影に何も寄与しない放電容器の表面領域に配置することが可能である。
【００１５】
本発明のさらに別の実施形態によれば、前記第１及び第２の層部分がそれぞれ、放電容器の放電空間を取り囲む楕円形若しくは非球面領域のハーフシェル状表面の大部分を覆っている。このケースでは、前記層部分を、当該放電容器の放電空間を取り囲んでいるコーティング領域の選択的な加熱に用いることも可能である。なぜならそれらの層部分は、ガス放電中に生成される赤外線放射の一部を放電空間内へ戻すように反射するからである。
【００１６】
有利な実施例の説明
以下では、本発明を有利な実施例に基づいて詳細に説明する。
【図面の簡単な説明】
【００１７】
【図１】本発明の第１実施例による高圧放電ランプの側面図
【図２】本発明の第２実施例による高圧放電ランプの放電容器の側面図
【図３】本発明の第３実施例による高圧放電ランプの放電容器下側を示した平面図
【図４】本発明の第4実施例による高圧放電ランプの放電容器上側を示した平面図
【実施例】
【００１８】
図１に示されている本発明の第１実施例は、電力消費量が約３５ワットの無水銀ハロゲン化金属高圧放電ランプである。この種の高圧放電ランプは主として自動車用ヘッドランプに使用されている。この高圧放電ランプは、２４ｍｍ3の容積を有し、かつその両側が封止された石英ガラスからなる放電容器１０を有している。この放電容器１０内には、キセノン、金属ハロゲン化物、ナトリウム、スカンジウム、亜鉛、インジウムからなるイオン性充填物が気密に封入されている。放電空間１０６の領域においては、当該放電容器１０の内部輪郭は円筒状に形成され、その外部輪郭は楕円状に形成されている。前記放電空間１０６の内径は、２．６ｍｍであり、前記放電空間１０６の外径は６．３ｍｍである。前記放電容器１０の２つの端部１０１，１０２は、それぞれ溶融モリブデン箔を用いて封止されている。前記放電容器１０の放電空間１０６内には２つの電極１１，１２が突出しており、これらの２つの電極１１，１２の間には、放射光の源となるアーク放電がランプ動作中に形成される。これらの電極１１，１２はタングステンからなっており、その厚さないし直径は０．３ｍｍである。前記２つの電極１１，１２の光学的に有効な間隔は４．２ｍｍである。前記電極１１，１２はそれぞれ、溶融モリブデン箔１０３，１０４と、口金から遠い側の電流リード導体１３及び帰還電流リード導体１７と、口金に近い側の電流リード導体１４とを介して、実質的にプラスチックからなるランプ口金の電気的な接続端子と導電的に接続されている。
【００１９】
前記放電容器１０の、口金から遠い側の第１の封止端部１０１内に埋め込まれているモリブデン箔１０３と、前記第１の封止端部１０１から引き出されている電流リード導体１３と、ランプ口金１５に帰還するように案内された帰還電流リード導体１７は、前記第１の封止端部１０１から前記放電空間１０６内に突出する給電線を形成している。それに類似して放電容器１０の、口金に近い側の第２の封止端部１０２内に埋め込まれているモリブデン箔１０４と、前記第２の封止端部１０２から引き出されている電流リード導体１４は、第２の電極１２のための給電線を形成している。前記放電容器１０は、ガラス製の外管１６によって取り囲まれている。
【００２０】
前記放電容器１０の外表面には二分割された導電性の層１０７，１０７′が設けられており、これらの導電性の層１０７，１０７′は、点呼支援層として用いられ、透光的若しくは透明に形成されている。これらの導電性の層１０７，１０７′は、第１の層部分１０７と第２の層部分１０７′とからなり、前記第１の層部分１０７は、前記放電容器１０の口金から遠い側の第１の封止端部１０１に配設され、前記放電空間１０６を取り囲む放電容器領域にて延在しており、前記第２の層部分１０７′は、前記放電容器１０の口金に近い側の第２の封止端部１０２に配設され、同じように前記放電空間１０６を取り囲む放電容器領域にて延在している。いずれにせよ前記２つの層部分１０７，１０７′は、相互に間隔を開けて配設され、相互にガルバニック分離されている。前記第１の層部分１０７は、前記放電容器１０の、前記帰還電流リード導体１７とは反対側の表面領域に設けられており、前記第２の層部分１０７′は、前記放電容器１０の、前記帰還電流リード導体１７に向いた側の表面領域に設けられている。
【００２１】
高圧放電ランプは通常は水平な作動ポジションで用いられるので、すなわち水平に延在する電極１１，１２を有しているので、帰還電流リード導体１７は当該電極１１，１２の下方に延在し、前記第１の層部分１０７は前記放電容器１０の上側に配設され、前記２の層部分１０７′は前記放電容器１０の下側に配設される。これらの２つの層部分１０７，１０７′は、前記電極１１，１２からガルバニック分離されて配設される。第１の層部分１０７は、第１の封止端部１０１内に埋め込まれているモリブデン箔１０３に対して良好な容量結合を有し、前記第２の層部分１０７′は、前記第２の封止端部１０２内に埋め込まれているモリブデン箔１０４に対して良好な容量結合を有している。前記２つの封止端部１０１，１０２は、圧潰封止部として形成されており、前記２つのモリブデン箔１０３，１０４は、その中に気密に埋め込まれている。
【００２２】
それ故前記２つの封止端部１０１，１０２はフラットな構成となり、その結果、モリブデン箔の面によって定められる平面に対して垂直方向の厚みは、当該平面に対して水平方向の厚みよりも僅かとなる。前記２つの層部分１０７，１０７′の前記封止端部１０１，１０２上に配設された部分は、実質的に前記モリブデン箔１０３，１０４に対して水平方向に延在している。前記第１の層部分１０７のうちの前記放電容器１０の放電空間１０６を取り囲んでいる領域の上側に配設されている部分１０７ａは、当該放電空間１０６の長手方向の広がり全体に亘って延在している。相応に前記第２の層部分１０７′のうちの前記放電容器１０の放電空間１０６を取り囲んでいる領域の下側に配設されている部分１０７′ａも同様に、当該放電空間１０６の長手方向の広がり全体に亘って延在している。この２つの層部分１０７，１０７′の前記部分１０７ａ，１０７′ａは、それによって、前記放電容器１０の放電空間を取り囲む領域の異なったハーフシェル状部分に配設される。
【００２３】
前記２つの層部分１０７，１０７′は、実質的に帯状に形成され、放電容器１０の湾曲した表面に続いている。前記層部分１０７，１０７′は、ドーピングされた酸化スズ、例えばフッ素若しくはアンチモンでドープされた酸化スズ、又は、例えばホウ素及び／又はリチウムでドープされた酸化スズからなる。前記電極１１，１２間のガス放電点弧のための高圧パルスは、安全上の理由から通常は、口金に近い側の電流リード導体１４を介して第２の電極に供給される。
【００２４】
外管１６と放電容器１０との間に介在する空間には、５ｋＰａ〜１５ｋＰａの範囲の冷間時充填圧力を有する不活性ガスが充填される。なおここでの冷間時充填圧力の概念とは、２２℃の温度のもとで測定される充填圧力を意味する。また前記不活性ガスには僅かな量の酸素も混合する。この酸素量は次のように設定される。すなわち、一方では、酸化スズ層１０７からの酸素の拡散が阻害されつつ、他方では前記酸化スズ層１０７，１０７′内のドープ剤の酸化が起きないように設定される。これに対しては、充填ガス中の少ないｐｐｍの酸素含有量、例えば１００ｐｐｍの酸素含有量（重量比）で既に十分である。前記不活性ガスは、有利には窒素若しくは希ガス、又は、希ガス混合気若しくは窒素−希ガス混合気である。また前記不活性ガスに対して代替え的に、前記放電容器１０と外管との間の介在空間に、例えば５ｋＰａ〜１５ｋＰａの範囲の冷間時充填圧力を有する空気を充填してもよい。
【００２５】
図２から図４には、点呼支援として用いられる二分割式の導電層の構成に対する本発明のさらに別の実施例が概略的に示されている。
【００２６】
このさらなる別の実施例による高圧放電ランプも、図１に基づいて説明してきた前述の本発明の第１実施例による高圧放電ランプと同じ構造を有している。ただこれらのさらなる別の実施例による高圧放電ランプは、本発明の第１実施例による高圧放電ランプと、点弧支援層１０７，１０７′の構成だけが異なるものである。その他の詳細の全ては、本発明の実施例全部に共通して一致している。それ故、図２から図４においては、二分割式の点弧支援層を有する高圧放電ランプの放電容器のみが描写されており、図１から図４中の高圧放電ランプの同じ部材には同じ参照符号が付されている。
【００２７】
図２には、本発明の第２実施例による二分割式の点呼支援層２０７，２０７′が概略的に示されている。本発明の第２実施例による層部分２０７，２０７′は、第１実施例による層部分１０７，１０７′と次の点でのみ異なっている。すなわち前記層部分２０７，２０７′の封止端部１０１，１０２上に配設されている部分が、モリブデン箔１０３，１０４の領域において当該封止端部１０１，１０２を環状に取り囲んでいる点である。第１の層部分２０７の部分２０７ａは、放電容器１０の放電空間１０６を取り囲んでいる領域の上側に配設され、当該放電空間１０６の長手方向の広がり全体に亘って延在している。但し前記部分２０７ａは、放電容器１０の楕円状領域の上方のハーフシェル状部分の周面の一部に亘ってしか延在していない。第２の層部分２０７′の部分２０７′ａは、放電容器１０の放電空間１０６を取り囲んでいる領域の下側に配設され、当該放電空間１０６の長手方向の広がり全体に亘って延在している。但し前記部分２０７′ａは、前記放電容器１０の楕円状領域の下方のハーフシェル状部分の周面の一部に亘ってしか延在していない。前記放電容器１０の楕円状領域の下側ないし下方のハーフシェル状部分は、帰還電流リード導体１７に対向しており、前記放電容器１０の楕円状領域の上側ないし上方のハーフシェル状部分は、前記帰還電流リード導体１７とは反対側にある。この配置構成は、全ての実施例に対して当てはまるものである。
【００２８】
図３には、本発明の第３実施例による二分割式の点呼支援層３０７，３０７′が概略的に示されている。ここでの２つの層部分３０７，３０７′が放電容器１０の下側の上に配設されている。前記２つの層部分３０７，３０７′の、封止端部１０１，１０２の上に配設されている部分３０７ｂ，３０７′ｂは、ここでは、モリブデン箔１０３，１０４の領域において当該封止端部１０１，１０２の全幅ないし全周に亘って延在し、良好な容量結合を可能にさせる。楕円状の放電容器１０の放電空間１０６を取り囲む領域の下方のハーフシェル状部分にて延在する、前記２つの層部分３０７，３０７′の延在部分３０７ａ，３０７′ａは、狭幅な帯状部材として形成され、それらは、下方のハーフシェル状部分の上を相互に平行に延在し、さらにそれぞれ前記放電容器１０の楕円状領域の下方のハーフシェル状部分の長手方向の広がり全体に亘って延在している。帯状の部分３０７ａは第１の封止端部１０１まで延在し、そこにおいて第１の層部分３０７の他方の部分３０７ｂに接続している。相応に、帯状部分３０７′ａも第２の封止端部１０２まで延在し、そこにおいて第２の層部分３０７′の他方の部分３０７′ｂに接続している。
【００２９】
図４には、本発明の第４実施例による二分割式の点呼支援層４０７，４０７′が概略的に示されている。この２つの層部分４０７，４０７′は、放電容器１０の下側の上に配設されている。前記２つの層部分４０７，４０７′の封止端部１０１，１０２に配設されている部分４０７ｂ，４０７′ｂは、モリブデン箔１０３，１０４の領域において当該封止端部１０１，１０２の全幅ないし全周に亘って延在しており、さらに相応するモリブデン箔１０３，１０４に対してそれぞれ１つの良好な容量結合を生じている。楕円状の放電容器１０の放電空間１０６を取り囲んでいる領域の下方のハーフシェル状部分を延在している当該２つの層部分４０７，４０７′の延在部分４０７ａ，４０７′ａは、広幅な帯状部として構成され、それらは下方のハーフシェル状部分を相互に平行に延在し、それぞれ前記放電容器１０の楕円状領域の下方のハーフシェル状部分の長手方向の広がり全体に亘って延在している。前記帯状部分４０７ａは第１の封止端部１０１まで延在し、そこにおいて第１の層部分４０７の他の部分４０７ｂに接続している。相応に前記帯状部分４０７′ａは第２の封止端部１０２まで延在し、そこにおいて第２の層部分４０７′の他の部分４０７′ｂに接続している。前記帯状部分４０７ａないし４０７′ａは、放電空間１０６の長手方向の広がりに対して垂直方向に、それぞれ、前記放電容器１０の楕円状領域の下方のハーフシェル状部分の約１／３の周面に亘って延在している。
【図１】
0005553934.tif 000002
【図２】
0005553934.tif 000003
【図３】
0005553934.tif 000004
【図４】
0005553934.tif 000005